(57)【要約】【課題】  外部温度の変化に因らずに、蓋体のスライド動作の信頼性の向上を図る。【解決手段】  平面状に形成されたベース面６ａを有するベース体３と、ベース体にスライド自在に支持されると共にベース体とは熱膨張率が異なる材料によって形成された蓋体２とを設け、蓋体のベース面側の端部に被送り部４を設け、ベース体に被送り部に係合する送りローラー２８、２８を支持軸３４、３４を介して回転自在に支持し、送りローラーに支持軸の軸方向へ移動可能とされた送り部３０、３０を設け、送り部の外周面に支持軸に対して傾斜され被送り部に係合する傾斜接触面３０ｄ、３０ｄを形成し、該傾斜接触面を被送り部に密着させる方向へ付勢する付勢バネ３２、３２を設けた。【選択図】        図５
2005078733.tif 000002
【特許請求の範囲】
【請求項１】
平面状に形成されたベース面を有するベース体と、該ベース体のベース面に所定の方向へスライド自在に支持されると共にベース体とは熱膨張率が異なる材料によって形成された蓋体とを備えた電子機器であって、
蓋体のベース面側の端部に被送り部が設けられ、
ベース体に被送り部に係合する送りローラーがベース面に直交する支持軸を介して回転自在に支持され、
送りローラーには支持軸の軸方向へ移動可能とされた送り部が設けられ、
送りローラーの送り部の外周面に支持軸に対して傾斜され蓋体の被送り部に係合する傾斜接触面が形成され、
該傾斜接触面を蓋体の被送り部に密着させる方向へ付勢する付勢バネを設けた
ことを特徴とする電子機器。
【請求項２】
被送り部は蓋体のスライド方向に直交する両端部にそれぞれ第１の被送り部と第２の被送り部として設けられ、
ベース体にローラー体が回転自在に支持され、
第１の被送り部に上記送りローラーが係合され、
第２の被送り部にローラー体が係合された
ことを特徴とする請求項１に記載の電子機器。
【請求項３】
上記送りローラーに送り部を回転可能に支持する支持部材を設け、該支持部材によって蓋体を保持するようにした
ことを特徴とする請求項１に記載の電子機器。
【発明の詳細な説明】
【技術分野】
【０００１】
本発明は電子機器に関する。詳しくは、ベース体に所定の方向へスライド自在に支持された蓋体を備えた電子機器において、外部温度の変化に因らずに、蓋体のスライド動作の信頼性の向上を図る技術分野に関する。
【背景技術】
【０００２】
音響機器やディスクドライブ装置等の各種の電子機器には、装置本体（ベース体）に対して蓋体がスライド可能とされているものがある（例えば、特許文献１参照）。蓋体は、特許文献１に記載のように、例えば、ディスク状記録媒体が収納されるディスク収納部を開閉するために設けられている。
【０００３】
このようにディスク収納部を開閉するための蓋体が設けられているディスクドライブ装置にあっては、必要なときに蓋体を開放すればよく、ディスク収納部への塵埃等の侵入を低減することができる。
【０００４】
【特許文献１】特開２０００―１２３５６１号公報
【発明の開示】
【発明が解決しようとする課題】
【０００５】
ところで、図１２に示すように、電子機器ａにあっては、蓋体ｂを装置本体ｃに対してスライドさせる機構として、蓋体ｂのスライド方向と直交する方向における両端部にそれぞれ係合する第１の送り手段ｄと第２の送り手段ｅを設け、この第１の送り手段ｄと第２の送り手段ｅによって蓋体ｂを送ってスライドさせるように構成することが可能である。例えば、これらの送り手段ｄ、ｅとして、装置本体ｃに回転自在に支持された送りローラーを用いることができる。
【０００６】
ところが、電子機器ａにおいては、蓋体ｂの材料と装置本体ｃの材料とが異なる場合があり、上記のように第１の送り手段ｄと第２の送り手段ｅを用いたときに、蓋体ｂと装置本体ｃとの熱膨張率の相違により、外部温度の変化によって、蓋体ｂの両端部間の距離Ｈが第１の送り手段ｄと第２の送り手段ｅとの間の距離に対して変化するおそれがある。
【０００７】
例えば、図１２に示す蓋体ｂ１のように、両端部間の距離Ｈが第１の送り手段ｄと第２の送り手段ｅとの間の距離に対して小さくなってしまった場合には、蓋体ｂ１の両端部と第１の送り手段ｄ及び第２の送り手段ｅとの間に隙間が生じ、ガタツキが発生して蓋体ｂ１のスライド動作が円滑に行われなくなってしまう。
【０００８】
逆に、図１２に示す蓋体ｂ２のように、両端部間の距離Ｈが第１の送り手段ｄと第２の送り手段ｅとの間の距離に対して大きくなってしまった場合には、蓋体ｂ２の両端部が第１の送り手段ｄ及び第２の送り手段ｅに強く押し付けられたり、或いは、蓋体ｂ２が第１の送り手段ｄ及び第２の送り手段ｅに適正に係合されずに外れてしまい、やはり蓋体ｂ２のスライド動作に支障を来たしてしまう。
【０００９】
そこで、本発明電子機器は、上記した問題点を克服し、外部温度の変化に因らずに、蓋体のスライド動作の信頼性の向上を図ることを課題とする。
【課題を解決するための手段】
【００１０】
本発明電子機器は、上記した課題を解決するために、平面状に形成されたベース面を有するベース体と、該ベース体のベース面に所定の方向へスライド自在に支持されると共にベース体とは熱膨張率が異なる材料によって形成された蓋体とを設け、蓋体のベース面側の端部に被送り部を設け、ベース体に被送り部に係合する送りローラーをベース面に直交する支持軸を介して回転自在に支持し、送りローラーに支持軸の軸方向へ移動可能とされた送り部を設け、送りローラーの送り部の外周面に支持軸に対して傾斜され蓋体の被送り部に係合する傾斜接触面を形成し、該傾斜接触面を蓋体の被送り部に密着させる方向へ付勢する付勢バネを設けたものである。
【００１１】
従って、本発明電子機器にあっては、温度変化による蓋体の位置に応じて送りローラーの被送り部が支持軸の軸方向へ移動される。
【発明の効果】
【００１２】
本発明電子機器は、平面状に形成されたベース面を有するベース体と、該ベース体のベース面に所定の方向へスライド自在に支持されると共にベース体とは熱膨張率が異なる材料によって形成された蓋体とを備えた電子機器であって、蓋体のベース面側の端部に被送り部が設けられ、ベース体に被送り部に係合する送りローラーがベース面に直交する支持軸を介して回転自在に支持され、送りローラーには支持軸の軸方向へ移動可能とされた送り部が設けられ、送りローラーの送り部の外周面に支持軸に対して傾斜され蓋体の被送り部に係合する傾斜接触面が形成され、該傾斜接触面を蓋体の被送り部に密着させる方向へ付勢する付勢バネを設けたことを特徴とする。
【００１３】
従って、送りローラーの送り部が蓋体の膨張又は収縮に応じて支持軸の軸方向へ移動されるため、外部温度の変化によらず、送りローラーが常に蓋体の被送り部に圧着され、蓋体のガタツキ及び蓋体の送りローラーからの脱落が防止され、蓋体のベース体に対するスライド動作の信頼性の向上を図ることができる。
【００１４】
請求項２に記載した発明にあっては、被送り部を蓋体のスライド方向に直交する両端部にそれぞれ第１の被送り部と第２の被送り部として設け、ベース体にローラー体を回転自在に支持し、第１の被送り部に上記送りローラーを係合し、第２の被送り部にローラー体を係合したので、蓋体の円滑なスライド動作を確保することができる。
【００１５】
請求項３に記載した発明にあっては、上記送りローラーに送り部を回転可能に支持する支持部材を設け、該支持部材によって蓋体を保持するようにしたので、蓋体を安定した状態で送りローラーによって円滑にスライドさせることができる。
【発明を実施するための最良の形態】
【００１６】
以下に、本発明を実施するための最良の形態を添付図面に従って説明する。尚、以下に示す最良の形態は、本発明電子機器をディスクドライブ装置に適用したものである。
【００１７】
電子機器（ディスクドライブ装置）１は、ディスク状記録媒体に対して情報信号の記録や再生を行う装置であり、蓋体２とベース体３と該ベース体３に配置された所要の各部材及び各機構によって構成されている（図１及び図２参照）。
【００１８】
蓋体２は、例えば、アクリル樹脂等の透明材料によって形成され、下方に開口された一方向に長い略蒲鉾状に形成されている。蓋体２は横断面形状で略円弧状を為す覆い部２ａと該覆い部２ａの長手方向における両端部に位置する側面部２ｂ、２ｂとが一体に形成されて成る。
【００１９】
尚、以下の説明にあっては、蓋体２の長手方向を前後方向とし、これに直交する方向をそれぞれ上下方向及び左右方向とする。
【００２０】
蓋体２の覆い部２ａの下端部はそれぞれ右側に位置する第１の被送り部４、左側に位置する第２の被送り部５として設けられている（図３参照）。
【００２１】
第１の被送り部４及び第２の被送り部５は、上下に短く延びるように形成され、それぞれ内面が摺接面４ａ、５ａとして形成されている（図４及び図５参照）。第１の被送り部４には、接触面４ａに連続する傾斜接触面４ｂが形成されている（図５参照）。傾斜接触面４ｂは接触面４ａの下端に連続され、下方へ行くに従って外方へ変位するように形成されている。
【００２２】
ベース体３は、蓋体２とは熱膨張率が異なる材料、例えば、アルミニウム等の金属材料によって形成されている。従って、ベース体３の熱膨張率は蓋体２の熱膨張率より小さい。
【００２３】
ベース体３は、図１及び図２に示すように、ベースパネル６と該ベースパネル６の下側に位置するボトムパネル７とから成る。ベースパネル６の上面は平面状に形成されたベース面６ａとして形成されている。
【００２４】
ベースパネル６の右側縁には、長手方向に離隔して複数の操作釦８、８、・・・が配置されている。操作釦８、８、・・・としては、例えば、電源のオン・オフを行うための電源釦、蓋体２の開閉動作を行うためのオープン釦及びクローズ釦、ディスク状記録媒体に記録された情報信号の再生を行うためのプレイ釦、再生状態を一時停止するための一時停止釦、再生動作を停止するためのストップ釦、音量の変更を行うためのボリューム釦等が設けられている。
【００２５】
ベースパネル６のベース面６ａ上には蓋体２が取り付けられ、該蓋体２はベースパネル６に対して着脱可能とされている。
【００２６】
ベースパネル６の長手方向における前端側には記録媒体載置部９が設けられている（図１及び図２参照）。
【００２７】
記録媒体載置部９は平面で見て円形状を為す浅い凹状に形成されている。
【００２８】
ベースパネル６のベース面６ａ上には、平行な２つのガイド部材１０、１０が設けられている（図１参照）。ガイド部材１０、１０は、ベースパネル６の後端側に設けられ、ベースパネル６の長手方向に長く形成されている。
【００２９】
ガイド部材１０、１０間の空間は、その記録媒体載置部９側の略半部がユニット収容部１０ａとして形成されている。ユニット収容部１０ａにはベースユニット１１が収容可能とされている。ガイド部材１０、１０間には、ユニット収容部１０ａを挟んで記録媒体載置部９の反対側にベースユニット１１の動作制御を行うためのコントロール基板１２が配置されている。
【００３０】
ベースユニット１１にはディスク状記録媒体をチャッキングする図示しないチャッキング機構とディスク状記録媒体に対して情報信号の記録又は再生を行うための光ピックアップとが設けられ、チャッキング機構は下側に位置するディスクテーブルとその上側に位置するチャッキングプーリーとを備えている。
【００３１】
ベースユニット１１及びコントロール基板１２はその下方に位置された配置ベース１３上に配置されている。配置ベース１３は前後方向に長く形成され、ガイド部材１０、１０に前後方向に摺動自在に支持されている。
【００３２】
ベースパネル６には、右側に位置するガイド部材１０の右方にユニット駆動部１４が配置されている。ユニット駆動部１４は駆動用モーター１５と該駆動用モーター１５の駆動力が伝達されて回転される図示しない減速ギヤ群とを有し、該減速ギヤ群によって配置ベース１３が移動される。従って、駆動用モーター１５が回転されると、その駆動力が減速ギヤ群を介して配置ベース１３に伝達され、駆動用モーター１５の回転方向に応じた方向へ配置ベース１３とベースユニット１１とコントロール基板１２とが一体となって前後方向へ移動される。
【００３３】
ベースパネル６には、ユニット駆動部１４の後側に表示駆動部１６が配置されている。
【００３４】
ベースパネル６には、左側に位置するガイド部材１０の左方に蓋体駆動部１７が配置されている。蓋体駆動部１７は移動用モーター１８と該移動用モーター１８の駆動力が伝達されて回転される減速ギヤ群１９、１９とを有し、該減速ギヤ群１９、１９は移動用モーター１８を挟んで前後に設けられている。
【００３５】
移動用モーター１８と減速ギヤ群１９、１９にはそれぞれ図示しないプーリーが設けられ、移動用モーター１８のプーリーと減速ギヤ群１９、１９のプーリーとがそれぞれベルト２０、２０によって連結されている。従って、移動用モーター１８が回転されると、その駆動力がベルト２０、２０を介して減速ギヤ群１９、１９に伝達され、該減速ギヤ群１９、１９が移動用モーター１８の回転方向に応じた同じ方向へ同期して回転される。
【００３６】
ベースパネル６上にはローラー体２１、２１が回転自在に支持されている（図１参照）。ローラー体２１、２１はベースパネル６の左端寄りの位置に前後に離隔して設けられている。
【００３７】
ローラー体２１は保持部材２２と被保持部材２３とリング部材２４とを備えている（図３及び図４参照）。
【００３８】
保持部材２２は、図４に示すように、軸方向（上下方向）に短い略円環状に形成された基部２２ａと該基部２２ａの外周縁から上方へ突出された外側周縁部２２ｂと基部２２ａの内周縁から上方へ突出された内側筒部２２ｃとから成り、該内側筒部２２ｃが外側周縁部２２ｂより上方へ突出されている。基部２２ａの外周面にはギヤ部２２ｄが形成されている。ギヤ部２２ｄは減速ギヤ群１９の最終段のギヤ１９ａと噛合されている。
【００３９】
被保持部材２３は基部２２ａの上側に配置されており、中央部に上方に開口された配置凹部２３ａを有している。被保持部材２３の上端寄りの位置の外周面は、蓋体２の左側に位置する第２の被送り部５に接する接触面２３ｂとして形成されている。
【００４０】
リング部材２４は被保持部材２３の配置凹部２３ａに配置された状態で、内側筒部２２ｃの外側に位置されている。
【００４１】
ローラー体２１の中心部には上下に貫通された被支持孔２１ａが形成され、該被支持孔２１ａの下端部にローラー体２１の回転を円滑に行うためのベアリング２５が配置されている。
【００４２】
被支持孔２１ａにはベアリング２５を貫通した状態で支持軸２６が挿通され、該支持軸２６の上端寄りの位置に係合された止め輪２７によって支持軸２６からのローラー体２１の脱落が防止されている。
【００４３】
ローラー体２１、２１は移動用モーター１８の駆動力が減速ギヤ群１９、１９を介してギヤ部２２ｄ、２２ｄに伝達されることにより、移動用モーター１８の回転方向に応じた方向へ回転される。移動用モーター１８が回転されたときには、ベルト２０、２０によって減速ギヤ群１９、１９が同期して回転されるため、ローラー体２１、２１も同期して回転される。
【００４４】
ベースパネル６上には送りローラー２８、２８が回転自在に支持されている（図１参照）。送りローラー２８、２８はベースパネル６の右端寄りの位置に前後に離隔して設けられている。
【００４５】
送りローラー２８は支持部材２９と被支持部材３０とリング部材３１とを備えている（図３及び図５参照）。
【００４６】
支持部材２９は、図５に示すように、軸方向（上下方向）に短い略円環状に形成された基部２９ａと該基部２９ａの外周縁から上方へ突出された外側周縁部２９ｂと基部２９ａの内周縁から上方へ突出された内側筒部２９ｃとから成り、該内側筒部２９ｃが外側周縁部２９ｂより上方へ突出されている。基部２９ａと内側筒部２９ｃとの間の空間はバネ配置空間２９ｄとして形成されている。
【００４７】
被支持部材３０はベース体３に対してスライドされる蓋体２を送る送り部として設けられ、内側筒部２９ｃに、その外側において上下方向へ摺動自在に支持されている。被支持部材３０には中央部に上方に開口された配置凹部３０ａが形成されている。被支持部材３０には内方へ突出された規制突部３０ｂが設けられている。被支持部材３０の外周面には、上下に短く延びる接触面３０ｃと該接触面３０ｃの下縁に連続し下方へ行くに従って外方へ変位する傾斜接触面３０ｄとが形成されている。
【００４８】
リング部材３１は被支持部材３０の配置凹部３０ａに配置された状態で、内側筒部２９ｃの外側に位置されている。
【００４９】
支持部材２９のバネ配置空間２９ｄには付勢バネ３２が配置されている。付勢バネ３２は、例えば、圧縮コイルバネであり、支持部材２９の基部２９ａの上面と被支持部材３０の下面との間で縮設されている。従って、被支持部材３０は付勢バネ３２によって上方へ付勢されている。被支持部材３０は規制突部３０ｂがリング部材３１の下面に接することにより上方への移動が規制される。
【００５０】
送りローラー２８の中心部には上下に貫通された被支持孔２８ａが形成され、該被支持孔２８ａの下端部に送りローラー２８の回転を円滑に行うためのベアリング３３が配置されている。
【００５１】
被支持孔２８ａにはベアリング３３を貫通した状態で支持軸３４が挿通され、該支持軸３４の上端寄りの位置に係合された止め輪３５によって支持軸３４からの送りローラー２８の脱落が防止されている。
【００５２】
蓋体２がベースパネル６に取り付けられた状態において、ローラー体２１、２１の接触面２３ｂ、２３ｂがそれぞれ蓋体２の第２の被送り部５の接触面５ａに圧着され、送りローラー２８、２８の接触面３０ｃ、３０ｃ又は傾斜接触面３０ｄ、３０ｄが蓋体２の第１の被送り部４の接触面４ａ又は傾斜接触面４ｂに圧着される。従って、移動用モーター１８の駆動力が減速ギヤ群１９、１９を介してローラー体２１、２１に伝達されると、該ローラー体２１、２１の回転によって蓋体２が移動用モーター１８の回転方向に応じた方向へ移動され、同時に送りローラー２８、２８が蓋体２の移動に伴って回転される。
【００５３】
蓋体２の内部にはインナーカバー３６が配置される（図１及び図２参照）。インナーカバー３６は樹脂等の不透明な材料によって形成され、下方に開口された前後方向に長い略蒲鉾状に形成されている。インナーカバー３６は横断面形状で円弧状を為す閉塞部３６ａと該閉塞部３６ａの長手方向における両端部に位置する側壁部３６ｂ、３６ｂとが一体に形成されて成る。閉塞部３６ａの後端寄りの位置には透孔３６ｃが形成され、閉塞部３６ａの下端部には前後に離隔してそれぞれ左右に２つずつの配置用切欠３６ｄ、３６ｄ、・・・が形成されている。前側の側壁部３６ｂには下方に開口された切欠が形成され、該切欠が挿脱口３６ｅとして形成されている。
【００５４】
インナーカバー３６はガイド部材１０、１０、ベースユニット１１、コントロール基板１２、配置ベース１３、ユニット駆動部１４、表示駆動部１６及び蓋体駆動部１７を閉塞するようにベースパネル６に取り付けられる。
【００５５】
インナーカバー３６がベースパネル６に取り付けられた状態においては、透孔３６ｃに対応して表示駆動部１６が位置され、外部から表示駆動部１６の表示面が視認可能とされる。インナーカバー３６がベースパネル６に取り付けられた状態においては、配置用切欠３６ｄ、３６ｄ、・・・がそれぞれローラー体２１、２１及び送りローラー２８、２８に対応して位置され、ローラー体２１、２１及び送りローラー２８、２８の一部がインナーカバー３６から外方へ突出される。ベースユニット１１はインナーカバー３６の挿脱口３６ｅを通って前方へ移動可能とされる。
【００５６】
ベースパネル６には回転体３７、３７、３７が回転自在に支持されている（図１及び図２参照）。回転体３７、３７、３７はディスク状記録媒体をセンターリングする機能を有すると共にディスク状記録媒体を持ち上げる機能を有する。
【００５７】
回転体３７は略円柱状に形成され、上面３７ａの一端部に上方へ突出されたディスクセンターリング部３８が設けられている。
【００５８】
次に、電子機器１の動作について説明する（図６乃至図１０参照）。
【００５９】
電子機器１にあっては、操作釦８、８、・・・のうちの電源釦が操作されて通電状態とされることにより動作が開始可能とされる。先ず、動作が開始される前の各部の初期状態について説明する。
【００６０】
初期状態においては、図６に示すように、ベースユニット１１はインナーカバー３６内においてガイド部材１０、１０間のユニット収容部１０ａに収容されている。蓋体２は記録媒体載置部９及びインナーカバー３６を閉塞する閉塞位置にある。
【００６１】
回転体３７、３７、３７はディスクセンターリング部３８、３８、３８が最も外側に位置されている。従って、ディスクセンターリング部３８、３８、３８は記録媒体載置部９の直ぐ外側に位置されている。
【００６２】
電源釦が操作され通電された状態において、オープン釦が操作されると、蓋体駆動部１７によって蓋体２が移動され、該蓋体２が記録媒体載置部９を開放する開放位置まで移動される（図７参照）。
【００６３】
蓋体２が開放位置に移動された状態において、ディスク状記録媒体１００を記録媒体載置部９の任意の位置に載置しクローズ釦を操作すると、蓋体２が蓋体駆動部１７によって閉塞位置まで移動され、記録媒体載置部９が閉塞される（図８参照）。
【００６４】
次に、プレイ釦を操作すると、回転体３７、３７、３７が回転しながら上昇され、ディスクセンターリング部３８、３８、３８がディスク状記録媒体１００の外周縁を内方側に押圧し、ディスク状記録媒体１００が上昇しながらセンターリングされる（図９参照）。
【００６５】
続いて、ユニット駆動部１４によってベースユニット１１、コントロール基板１２及び配置ベース１３が一体となって、回転体３７、３７、３７によって持ち上げられたディスク状記録媒体１００に近付く方向へ移動され、ベースユニット１１に設けられたチャッキングプーリーとディスクテーブルとの間にディスク状記録媒体１００が相対的に挿入される（図１０参照）。
【００６６】
チャッキングプーリーとディスクテーブルとの間にディスク状記録媒体１００が相対的に挿入されると、回転体３７、３７、３７が先程とは逆方向へ回転しながら下降される。回転体３７、３７、３７が下降されると、ディスク状記録媒体１００が回転体３７、３７、３７に伴って下降され、中心孔１００ａにディスクテーブルのセンターリング突部が挿入されると共にチャッキングプーリーがディスクテーブルに近付く方向へ移動されて、ディスク状記録媒体１００がチャッキングプーリーとディスクテーブルに挟持されてチャッキングされる。
【００６７】
ディスク状記録媒体１００のチャッキングが完了されると、ディスク状記録媒体１００が回転され、光ピックアップの駆動によってディスク状記録媒体１００に対する、例えば、情報信号の再生が行われる。
【００６８】
ディスク状記録媒体１００に対する情報信号の再生が終了すると、ディスク状記録媒体１００に対するチャッキングプーリーとディスクテーブルとによるチャッキングが解除され、続いて、回転体３７、３７、３７が上昇されてディスク状記録媒体１００がディスクテーブルとチャッキングプーリーとの間において持ち上げられる。
【００６９】
回転体３７、３７、３７によってディスク状記録媒体１００が持ち上げられると、ユニット駆動部１４によってベースユニット１１、コントロール基板１２及び配置ベース１３が一体となって後方へ移動され、ベースユニット１１がユニット収容部１０ａに収容される。
【００７０】
続いて、回転体３７、３７、３７が下降されてディスク状記録媒体１００が記録媒体載置部９上に載置される。オープン釦を操作して蓋体２を開放位置に移動させることにより、ユーザーはディスク状記録媒体１００を把持して電子機器１から取り出すことができる。
【００７１】
ディスク状記録媒体１００が電子機器１から取り出されると、図示しない検出センサーによってディスク状記録媒体１００が存在しない旨が検出され、蓋体２が閉塞位置まで移動されて初期状態に戻る。
【００７２】
次に、蓋体２とベース体３の熱膨張率の相違に基づく送りローラー２８、２８の動作について説明する（図５及び図１１参照）。
【００７３】
上記したように、蓋体２とベース体３は熱膨張率が異なる材料によって形成されており、外部温度の変化によって蓋体２の第１の被送り部４及び第２の被送り部５の送りローラー２８、２８及びローラー体２１、２１に対する位置が変化する。
【００７４】
例えば、外部温度が高い場合には、材料（アクリル樹脂）の膨張により第１の被送り部４と第２の被送り部５との間の距離が大きくなり、外部温度が低い場合には、材料（アクリル樹脂）の収縮により第１の被送り部４と第２の被送り部５との間の距離が小さくなる。
【００７５】
電子機器１にあっては、送りローラー２８、２８の被支持部材３０、３０が支持部材２９、２９に対して上下方向へ移動可能とされているため、外部温度が高い場合には、図５に示すように、第１の被送り部４と第２の被送り部５との間の距離に応じて付勢バネ３２、３２によって付勢された被支持部材３０、３０が上昇され、例えば、第１の被送り部４の傾斜接触面４ｂに被支持部材３０、３０の傾斜接触面３０ｄ、３０ｄが圧着される。
【００７６】
このとき、第２の被送り部５は、接触面５ａがローラー体２１、２１の被保持部材２３、２３の接触面２３ｂ、２３ｂに圧着されている（図４参照）。
【００７７】
一方、外部温度が低い場合には、図１１に示すように、第１の被送り部４と第２の被送り部５との間の距離に応じて付勢バネ３２、３２によって付勢された被支持部材３０、３０が付勢バネ３２、３２の付勢力に抗して蓋体２の自重により下降され、例えば、第１の被送り部４の接触面４ａと傾斜接触面４ｂにそれぞれ被支持部材３０、３０の接触面３０ｃ、３０ｃと傾斜接触面３０ｄ、３０ｄが圧着される。
【００７８】
このとき、第２の被送り部５は、外部温度が高い場合と同様に、接触面５ａがローラー体２１、２１の被保持部材２３、２３の接触面２３ｂ、２３ｂに圧着されている（図４参照）。
【００７９】
尚、蓋体２は、外部温度の変化によらず、第１の被送り部４が送りローラー２８、２８の支持部材２９、２９上に載置された状態とされている（図５及び図１１１参照）。
【００８０】
従って、蓋体２が安定した状態で送りローラー２８、２８によって円滑にスライドされる。
【００８１】
以上に記載した通り、電子機器１にあっては、送りローラー２８、２８の被支持部材３０、３０が第１の被送り部４と第２の被送り部５との間の距離に応じて支持部材２９、２９に対して上下方向へ移動可能なため、外部温度の変化によらず、送りローラー２８、２８とローラー体２１、２１とが常に蓋体２の第１の被送り部４と第２の被送り部５とに圧着される。
【００８２】
従って、蓋体２のガタツキ及び蓋体２のローラー体２１、２１及び送りローラー２８、２８からの脱落が防止され、蓋体２のベース体３に対するスライド動作の信頼性の向上を図ることができる。
【００８３】
また、蓋体２の第１の被送り部４と第２の被送り部５に、それぞれベース体３に回転可能に支持された送りローラー２８、２８とローラー体２１、２１が圧着されるため、蓋体２の円滑なスライド動作を確保することができる。
【００８４】
尚、上記には、送りローラー２８、２８の一部を上下方向へ移動可能として、送りローラー２８、２８とローラー体２１、２１とを常に蓋体２の第１の被送り部４と第２の被送り部５とに圧着させるようにしたが、逆に、ローラー体２１、２１の一部を上下方向へ移動可能として、送りローラー２８、２８とローラー体２１、２１とを常に蓋体２の第１の被送り部４と第２の被送り部５とに圧着させるようにしてもよい。
【００８５】
また、送りローラー２８、２８とローラー体２１、２１の各一部を上下方向へ移動可能として、送りローラー２８、２８とローラー体２１、２１とを常に蓋体２の第１の被送り部４と第２の被送り部５とに圧着させるようにしてもよい。
【００８６】
さらには、送りローラー２８、２８の支持部材２９、２９をベース体３に一体に形成し、被支持部材３０、３０の回転により蓋体２がスライドされるようにしてもよく、また、ローラー体２１、２１の保持部材２２、２２をベース体３に一体に形成し、被保持部材２３、２３の回転により蓋体２がスライドされるようにしてもよい。
【００８７】
加えて、上記には、蓋体駆動部１７の移動用モーター１８の駆動力が伝達されてローラー体２１、２１が回転される構成とし、該ローラー体２１、２１を駆動側のローラーとした例を示したが、逆に、送りローラー２８、２８をモーターの駆動力が伝達されて回転される駆動側のローラーとする構成とすることもできる。
【００８８】
尚、送りローラー２８、２８の被支持部材３０、３０及びローラー体２１、２１の被保持部材２３、２３は蓋体２の第１の被送り部４と第２の被送り部５に圧着されるため、被支持部材３０、３０及び被保持部材２３、２３を密着性が良好で摩擦係数の大きな材料、例えば、ゴム材料等によって形成してもよい。
【００８９】
上記した最良の形態において示した各部の形状及び構造は、何れも本発明の実施に際しての具体化のほんの一例を示したものに過ぎず、これらによって、本発明の技術的範囲が限定的に解釈されることがあってはならないものである。
【図面の簡単な説明】
【００９０】
【図１】図２乃至図１１と共に本発明の最良の形態を示すものであり、本図は蓋体及びインナーカバーを分離した状態で示す電子機器の斜視図である。
【図２】蓋体を分離した状態で示す電子機器の斜視図である。
【図３】要部を示す概略断面図である。
【図４】ローラー体が蓋体の第２の被送り部に圧着されている状態を示す拡大断面図である。
【図５】外部温度が高い場合に、送りローラーが蓋体の第１の被送り部に圧着されている状態を示す拡大断面図である。
【図６】図７乃至図１０と共に電子機器の動作を示すものであり、本図は初期状態を示す電子機器の斜視図である。
【図７】蓋体が開放位置に移動された状態を示す斜視図である。
【図８】記録媒体載置部にディスク状記録媒体が載置された状態で蓋体が閉塞位置に移動された状態を示す斜視図である。
【図９】ディスク状記録媒体のセンターリングが完了した状態を蓋体を取り外して示す斜視図である。
【図１０】ディスク状記録媒体のセンターリングが完了しベースユニットがユニット収容部から引き出された状態を蓋体を取り外して示す斜視図である。
【図１１】外部温度が低い場合に、送りローラーが蓋体の第１の被送り部に圧着されている状態を示す拡大断面図である。
【図１２】従来の問題点を説明するための概念図である。
【符号の説明】
【００９１】
１…電子機器、２…蓋体、３…ベース体、４…第１の被送り部、５…第２の被送り部、６ａ…ベース面、２１…ローラー体、２８…送りローラー、３０…被支持部材（送り部）、３０ｄ…傾斜接触面、３２…付勢バネ、３４…支持軸
【図１】
2005078733.tif 000003
【図２】
2005078733.tif 000004
【図３】
2005078733.tif 000005
【図４】
2005078733.tif 000006
【図５】
2005078733.tif 000007
【図６】
2005078733.tif 000008
【図７】
2005078733.tif 000009
【図８】
2005078733.tif 000010
【図９】
2005078733.tif 000011
【図１０】
2005078733.tif 000012
【図１１】
2005078733.tif 000013
【図１２】
2005078733.tif 000014